(57)【要約】【課題】着脱が容易な水中運動用滑り止めサポーターを提供する。【解決手段】  少なくとも足首部分と足指先端部分が開口部（２，５）となっており、裏面に滑り止め部（６）が加工されている水中運動用滑り止めサポーター（１）である。前記足指先端部分の開口部（５）が、親指根元を収容する円筒（５１）、人差し指及び中指の根元を収容する円筒（５２）、薬指及び小指の根元を収容する円筒（５３）、の３円筒からなるのが好ましい。さらに、足首部分及び足指先端部分以外に足の甲及び踵部分を開口部（３，４）とするのが好ましい。【選択図】図１
2012153992.tif 000002
【特許請求の範囲】
【請求項１】
少なくとも足首部分と足指先端部分が開口部（２，５）となっており、裏面に滑り止め部（６）が加工されている水中運動用滑り止めサポーター（１）であって、
前記足指先端部分の開口部（５）が、親指根元を収容する円筒（５１）、人差し指及び中指の根元を収容する円筒（５２）、薬指及び小指の根元を収容する円筒（５３）、の３円筒からなることを特徴とする水中運動用滑り止めサポーター。
【請求項２】
少なくとも足首部分と足指先端部分が開口部（２Ａ，５Ａ）となっており、裏面に滑り止め部（６Ａ）が加工されている水中運動用滑り止めサポーター（１Ａ）であって、
前記足指先端部分の開口部（５Ａ）が、親指根元を収容する円筒（５１Ａ）、人差し指及び中指の根元と薬指及び小指の根元の間の仕切り紐（５４）からなることを特徴とする水中運動用滑り止めサポーター。
【請求項３】
少なくとも足首部分と足指先端部分が開口部（２Ｂ，５Ｂ）となっており、裏面に滑り止め部（６Ｂ）が加工されている水中運動用滑り止めサポーター（１Ｂ）であって、
前記足指先端部分の開口部（５Ｂ）が、５本の足指をそれぞれ収容する５本の円筒（５１Ｂ，５４，５５，５６，５７）であることを特徴とする水中運動用滑り止めサポーター。
【請求項４】
足首部分及び足指先端部分以外に足の甲及び踵部分を開口部（３，４；３Ａ，４Ａ；3Ｂ，4Ｂ）とした請求項１〜３のいずれかに記載の水中運動用滑り止めサポーター。
【発明の詳細な説明】
【技術分野】
【０００１】
本発明は、プールでの水中ウォーキング、エクササイズ、アクアビクスで使用する水中運動用サポーターに関する。
【背景技術】
【０００２】
健康の管理・増進のために多くの人がプールで水中ウォーキング、エクササイズ、アクアビクス等の運動を行っている。そのとき、裸足のままであれば、水の浮力のためにプールの底に足裏が確実に着地できずに転倒するようなことがあった。また、濡れたプールサイドですべって転倒するような事故もあった。
【０００３】
このような問題に対して、従来、例えば、特開２０００−１６６６０８、特開２００８−１０４５９３に記載されているような水中・プールサイド歩行用シューズが提案されている。また、特開平１１−２４４４１６号、特開２００４−６５７５２に記載されているような水中歩行用の装着具も提案されている。
【発明の概要】
【発明が解決しようとする課題】
【０００４】
従来の製品は、足裏がプール底に馴染まず、靴を履いたまま濡れるといった違和感を拭えない問題があり、足首とのフィット感は締め付け過ぎても緩過ぎても裸足運動としての充足感を損なうことになるといった問題があった。
【０００５】
また、この製品は足に密着させて着用するものであるので、力を込めて引っ張ったり伸ばしたりして足指に装着しなければならないが、それが面倒で時間がかかるという問題もあった。
【０００６】
本発明はこれらの問題点を解決し、足首とのフィット感がよく、着脱が容易な水中運動用滑り止めサポーターを提供することを目的とする。
【課題を解決するための手段】
【０００７】
本発明は、第一の観点では、少なくとも足首部分と足指先端部分が開口部となっており、裏面に滑り止め部が加工されている水中運動用滑り止めサポーターであって、前記足指先端部分の開口部が、親指根元を収容する円筒、人差し指及び中指の根元を収容する円筒、薬指及び小指の根元を収容する円筒、の３円筒からなることを特徴とする（請求項１）。
【０００８】
第二の観点では、本発明は、少なくとも足首部分と足指先端部分が開口部となっており、裏面に滑り止め部が加工されている水中運動用滑り止めサポーターであって、前記足指先端部分の開口部が、親指根元を収容する円筒、人差し指及び中指の根元と薬指及び小指の根元の間の仕切り紐からなることを特徴とする（請求項２）。
【０００９】
本発明は、第三の観点では、少なくとも足首部分と足指先端部分が開口部となっており、裏面に滑り止め部が加工されている水中運動用滑り止めサポーターであって、前記足指先端部分の開口部が、５本の足指をそれぞれ収容する５本の円筒であることを特徴とする（請求項３）。
【００１０】
好ましくは、足首部分及び足指先端部分以外に足の甲及び踵部分を開口部とする（請求項４）。
【発明の効果】
【００１１】
本発明請求項１及び２の発明では、足首部分と足指先端部分が開口部となっているので、裸足感が得られると共に、足首とのフィット感も良好である。しかも、足指先端部分の開口部が親指の根元と、人差し指及び中指の根元と、薬指及び小指の根元の３個所に分岐している。したがって、着用するときに、足を滑り込ませるだけで容易に足指が３つに分岐して収容される。
【００１２】
本願請求項３の発明では、足指先端部分の開口部が５本の足指をそれぞれ収容する５本の円筒である。請求項１と較べると、履きやすさという点では劣るが、足首とのフィット感は同様に優れている。
【００１３】
本願請求項４の発明では、足首部分及び足指先端部分以外に足の甲及び踵部分を開口部としているので、さらに裸足感が得られる。
【図面の簡単な説明】
【００１４】
【図１】本発明の第１実施例に係る水中運動用滑り止めサポーター着用時の斜視図である。（ａ）は足の甲側から見たもので、（ｂ）は足裏側から見たものである。
【図２】図１の実施例は左足用のサポーターの着用前の形状であり、（ａ）は平面図、（ｂ）は正面図、（ｃ）は底面図、（ｄ）は側面図、（ｅ）は背面図である。
【図３】本発明の第２実施例に係る水中運動用滑り止めサポーター着用時の斜視図である。（ａ）は足の甲側から見たもので、（ｂ）は足裏側から見たものである。
【図４】図３の実施例サポーターの着用前の形状であり、（ａ）は平面図、（ｂ）は正面図、（ｃ）は底面図、（ｄ）は側面図、（ｅ）は背面図である。
【図５】図４の矢印部の断面図である。
【図６】本発明の第３実施例に係る水中運動用滑り止めサポーター着用時の斜視図である。
【発明を実施するための形態】
【００１５】
以下、添付の図面に基づき、本発明の実施例を説明する。
【実施例１】
【００１６】
図１、図２に示す左足用の水中運動用滑り止めサポーター１は、表糸として、ナイロン110d/2×1本、ポリエステル150d/1×2本、裏糸として、ポリウレタン伸縮弾性糸210d×1本を使用して編み立てている。
【００１７】
本発明で使用する糸条は次のとおり市販されている。
(1)「ナイロン糸 110d/2」：ウーリー加工糸。双糸。三山株式会社製造「ホシカブト（品名）」
(2)「ポリエステル糸 150d/1」：ウーリー加工。単糸。三山株式会社製造。
(3)「ポリウレタン伸縮弾性糸210d 」：別名スパンデックス、「ライクラ」（デュポン社の商標）。裸糸（ベアヤーン）。オペロンテックス株式会社製造。耐塩素機能を持たせることが好ましい。
【００１８】
編み生地は平編み（天竺編み）生地が普通であり、またそれで十分である。編み立ては、通常の手袋編機や靴下編機で可能である。
【００１９】
このサポーターは、足首部分２以外に足の甲３及び踵部分４及び足指先端部分５が開口部となり、着用者の肌・指が露出している。さらに裏側において、滑り止め用のゴム板６が取り付けられている。
【００２０】
足の甲３の開放部は、不装着（無負荷）時で短径５〜７ｃｍ、長径６〜９ｃｍの楕円形であり、踵部分４の開放部は、不装着（無負荷）時で短径４〜６ｃｍ、長径５〜７ｃｍの楕円形である。足の甲３及び踵部分４を開放するように形成することにより、裸足感が得られると共に、生地面積が小さいので、コンパクトに持ち運べ、洗濯も容易である。
【００２１】
滑り止め用のゴム板６としては、ＡＢＳ系弾性樹脂等の弾性樹脂材やゴム等のシートの接地面に凹凸による滑り止め構造を設定して構成する。このように構成することにより、蹴り足運動時における足のショックを吸収すると共に、プールから上がった後の水切りや乾燥を容易にしている。
【００２２】
足指根元部分は、親指根元を収容する円筒５１、人差し指及び中指の根元を収容する円筒５２、薬指及び小指の根元を収容する円筒５３、の３円筒からなる。
【００２３】
このように３円筒を用いることにより、着用するときに、足を滑り込ませるだけで容易に足指が３円筒に収容される。
【実施例２】
【００２４】
図３、図４に示す水中運動用滑り止めサポーター１Ａも、足首部分２Ａ以外に足の甲３Ａ及び踵部分４Ａ及び足指先端部分５Ａが開口部となり、着用者の肌・指が露出している。さらに裏側において、滑り止め用のゴム板６Ａが取り付けられている。この形状及び構造は、前記した実施例１と同様である。
【００２５】
実施例２が実施例１と異なるのは、足指根元部分５Ａは、親指根元を収容する円筒５１Ａ、人差し指及び中指の根元と薬指及び小指の根元の間の仕切り紐５４からなる点である。この仕切り紐５４はサポーターと一体的に編成するのが好ましいが、図５に示すように、後付けにより糸５５で縫いつけてもよい。
【００２６】
実施例２の製品の使用方法及び効果は実施例１と同様である。
【実施例３】
【００２７】
図６に示す左足用の水中運動用滑り止めサポーター１Ｂは、足首部分２Ｂ以外に足の甲３Ｂ及び踵部分４Ｂ及び足指先端部分５Ｂが開口部となり、着用者の肌・指が露出している。さらに裏側において、滑り止め用のゴム板６Ｂが取り付けられている。足指根元部分は、５本の足指根元を収容する円筒５１Ｂ，５４，５５，５６，５７となっている。
【００２８】
実施例３の製品の使用方法及び効果は実施例１及び２と同様である。
【符号の説明】
【００２９】
１，１Ａ，１Ｂ       水中運動用滑り止めサポーター
２，２Ａ，２Ｂ       足首部分開口部
３，３Ａ，３Ｂ       甲部分開口部
４，４Ａ，４Ｂ       踵部分開口部
５，５Ａ      足指先端部分開口部
５１，５１Ａ，５１Ｂ 円筒
５２，５２Ａ  円筒
５３，５３Ａ  円筒
５４〜５７      円筒
６，６Ａ，６Ｂ       ゴム板
５４   紐
５５   糸
【先行技術文献】
【特許文献】
【００３０】
【特許文献１】特開２０００−１６６６０８
【特許文献２】特開２００８−１０４５９３
【特許文献３】特開平１１−２４４４１６号
【特許文献４】特開２００４−６５７５２
【図１】
2012153992.tif 000003
【図２】
2012153992.tif 000004
【図３】
2012153992.tif 000005
【図４】
2012153992.tif 000006
【図５】
2012153992.tif 000007
【図６】
2012153992.tif 000008